(57)【特許請求の範囲】
【請求項１】
紙層の表裏面に皮膜層を有し、開封線に沿って開封可能な紙容器であって、該開封線は、表面皮膜層を貫通して紙層に達する１本の表面半切り線と、これに並行し、裏面皮膜層を貫通して紙層に達する１本の裏面半切り線を有し、さらに該裏面半切り線から、開封方向に対して表面半切り線と反対側の斜め後方に向かい、裏面皮膜層を貫通して紙層に達する複数の裏面半切り補助線を有するものであることを特徴とする紙容器。
【請求項２】
前記裏面半切り補助線を有する開封線を、その裏面半切り補助線が向かい合うように２本設けて開封帯を形成したことを特徴とする請求項１に記載の紙容器。
【請求項３】
前記裏面半切り補助線を有する開封線１本と、裏面半切り補助線を有しない開封線１本とからなる開封帯を形成したことを特徴とする請求項１に記載の紙容器。
【請求項４】
前記裏面半切り補助線は、裏面半切り線から、開封方向に対して表面半切り線と反対側の斜め後方に向かう直線であることを特徴とする請求項１〜３のいずれか１項に記載の紙容器。
【請求項５】
前記裏面半切り補助線は、裏面半切り線から、開封方向に対して表面半切り線と反対側の斜め後方に向かい、先端が裏面半切り線に接近する方向に湾曲した曲線であることを特徴とする請求項１〜３のいずれか１項に記載の紙容器。
【請求項６】
前記裏面半切り補助線は、裏面半切り線から、開封方向に対して表面半切り線と反対側の斜め後方に向かい、折れ曲がって裏面半切り線に平行に開封方向と反対方向に向かう直線であることを特徴とする請求項１〜３のいずれか１項に記載の紙容器。
【発明の詳細な説明】
【技術分野】
【０００１】
本発明は、開封しやすいように易開封加工を施した紙容器に関する。
【背景技術】
【０００２】
紙容器の易開封加工としては、紙の全厚を貫通するミシン目加工が最も一般的に用いられている。缶ビールの外箱や、個別包装された菓子類の外箱など、特に密封性を必要としない紙箱の場合には、紙層を貫通するミシン目でも何ら問題はないが、ある程度の密封性を必要とする紙容器の場合には、適用することができない。
【０００３】
例えば、粉末洗剤の紙容器の場合、箱の外側には水がかかる可能性があり、箱の内容物に対しては、ある程度の防湿性が要求される。このため粉末洗剤の紙容器の場合には、例えば紙の表裏面にポリエチレン樹脂をラミネートして耐水性と防湿性を確保し、開封方法としては、開封予定線に対して少しずらした位置に表裏面から半切り加工を施して紙の層内破断を利用して開封する方式などが採用されている。
【０００４】
粉末洗剤の紙容器のように、紙厚が厚い場合には、半切り加工の許容範囲が広いため、安定した開封性が得られるが、紙厚が薄い場合には、半切り加工の深さの許容範囲が狭くなるため、半切り加工の深さのばらつきによっては、開封帯が本来の開封予定線から逸脱して、紙が破れたり、千切れたりする問題が生じる。
【０００５】
特許文献１に記載された紙容器は、この問題を解決するためになされたものであり、紙の表面側に２本の平行な半切り線を形成し、この２本の半切り線よりも狭幅の２本の平行な半切り線を紙の裏面側に形成し、さらにこの裏面側の２本の半切り線の間に１本の補助半切り線を設けたものである。
【先行技術文献】
【特許文献】
【０００６】
【特許文献１】特開2009-62078号公報
【発明の概要】
【発明が解決しようとする課題】
【０００７】
特許文献１に記載された紙容器によると、特に逸脱しやすい裏面側の半切り線が仮に逸脱して、紙が破れ始めた場合であっても、裏面の２本の半切り線の中央に設けた補助半切り線によって破れの進行が止まるため、開封帯が千切れてしまうことはない。
【０００８】
しかし、特許文献１に記載された紙容器の場合、最悪のケースでは、２本の半切り線の中央部まで切り残された紙が露出することになり、外観的に問題であるばかりでなく、内容物が引っ掛かって取り出せないといった事態も起こり得るという問題があった。
【０００９】
本発明の解決しようとする課題は、上記の従来の表裏半切りによる易開封加工の問題点を解消し、確実に開封でき、しかも外観的にも見苦しくない易開封加工の施された紙容器を提案するものである。
【課題を解決するための手段】
【００１０】
上記の課題を解決するための手段として、請求項１に記載の発明は、紙層の表裏面に皮膜層を有し、開封線に沿って開封可能な紙容器であって、該開封線は、表面皮膜層を貫通して紙層に達する１本の表面半切り線と、これに並行し、裏面皮膜層を貫通して紙層に達
する１本の裏面半切り線を有し、さらに該裏面半切り線から、開封方向に対して表面半切り線と反対側の斜め後方に向かい、裏面皮膜層を貫通して紙層に達する複数の裏面半切り補助線を有するものであることを特徴とする紙容器である。
【００１１】
本発明に係る紙容器は、開封線として、通常用いられる表面半切り線と裏面半切り線に加えて、裏面半切り線から、開封方向に対して表面半切り線と反対側の斜め後方に向かい、裏面皮膜層を貫通して紙層に達する複数の裏面半切り補助線を設けたので、開封時に裏面半切り線を逸脱して紙の破れが始まったとしても、紙の破れ目が裏面半切り補助線に当って元の裏面半切り線に復帰するため、紙の破れが大きく成長することがない。このため安定した開封操作が保証される。
【００１２】
また、請求項２に記載の発明は、前記裏面半切り補助線を有する開封線を、その裏面半切り補助線が向かい合うように２本設けて開封帯を形成したことを特徴とする請求項１に記載の紙容器である。
【００１３】
また、請求項３に記載の発明は、前記裏面半切り補助線を有する開封線１本と、裏面半切り補助線を有しない開封線１本とからなる開封帯を形成したことを特徴とする請求項１に記載の紙容器である。
【００１４】
また、請求項４に記載の発明は、前記裏面半切り補助線が、裏面半切り線から、開封方向に対して表面半切り線と反対側の斜め後方に向かう直線であることを特徴とする請求項１〜３のいずれか１項に記載の紙容器である。
【００１５】
また、請求項５に記載の発明は、前記裏面半切り補助線が、裏面半切り線から、開封方向に対して表面半切り線と反対側の斜め後方に向かい、先端が裏面半切り線に接近する方向に湾曲した曲線であることを特徴とする請求項１〜３のいずれか１項に記載の紙容器である。
【００１６】
また、請求項６に記載の発明は、前記裏面半切り補助線が、裏面半切り線から、開封方向に対して表面半切り線と反対側の斜め後方に向かい、折れ曲がって裏面半切り線に平行に開封方向と反対方向に向かう直線であることを特徴とする請求項１〜３のいずれか１項に記載の紙容器である。
【発明の効果】
【００１７】
本発明に係る紙容器は、紙層の表裏面に皮膜層を有し、開封線に沿って開封可能な紙容器であって、該開封線は、表面皮膜層を貫通して紙層に達する１本の表面半切り線と、これに並行し、裏面皮膜層を貫通して紙層に達する１本の裏面半切り線を有し、さらに該裏面半切り線から、開封方向に対して表面半切り線と反対側の斜め後方に向かい、裏面皮膜層を貫通して紙層に達する複数の裏面半切り補助線を有するものであることを特徴とする紙容器である。本発明に係る紙容器は、開封線として、通常用いられる表面半切り線と裏面半切り線に加えて、裏面半切り線から、開封方向に対して表面半切り線と反対側の斜め後方に向かい、裏面皮膜層を貫通して紙層に達する複数の裏面半切り補助線を設けたので、開封時に裏面半切り線を逸脱して紙の破れが始まったとしても、紙の破れ目が裏面半切り補助線に当って元の裏面半切り線に復帰するため、紙の破れが大きく成長することがない。このため安定した開封性が得られる。
【００１８】
この特徴は、紙の厚さが十分厚くなくて、表裏面の半切り線を十分な深さ精度で入れることができない場合において特にその効果を発揮する。
【００１９】
また裏面半切り補助線は、紙の裏面側に施されるものであるから、表面側からは見えず
、従って紙容器の外観を損なうことがない。
【００２０】
また、請求項２に記載の発明において、裏面半切り補助線を有する開封線を、その裏面半切り補助線が向かい合うように２本設けて開封帯を形成した場合には、安定した開封性を有し、外観的にも優れた開封帯付き紙容器とすることができる。
【００２１】
また、紙容器の形状や開封位置によっては、請求項３に記載の発明におけるように、裏面半切り補助線を有する開封線１本と、従来の裏面半切り補助線を有しない開封線１本とからなる開封帯でこと足りる場合もある。この場合には、裏面半切り補助線を設けるための切り刃などが節約できる。
【００２２】
また、請求項４に記載の発明において、裏面半切り補助線を、裏面半切り線から、開封方向に対して表面半切り線と反対側の斜め後方に向かう直線とした場合、裏面半切り補助線を刻設するための切り刃の構造が単純になり、コスト面において有利である。
【００２３】
また、請求項５に記載の発明において、裏面半切り補助線を、裏面半切り線から、開封方向に対して表面半切り線と反対側の斜め後方に向かい、先端が裏面半切り線に接近する方向に湾曲した曲線とした場合、裏面半切り線から逸脱した紙の切目が補足される確率が直線の場合に比較して高くなり、より確実な開封性を得ることができる。これは、請求項６に記載の発明においても、同様である。
【図面の簡単な説明】
【００２４】
【図１】図１は、本発明に係る紙容器の一実施態様を示した斜視図である。
【図２】図２は、本発明に係る紙容器の他の実施態様を示した斜視図である。
【図３】図３は、図１に示した紙容器の開封帯部分を拡大した説明図である。
【図４】図４は、本発明の請求項３に係る紙容器の開封帯部分を拡大した説明図である。
【図５】図５は、本発明に係る紙容器における開封帯の構造を示した断面説明図である。
【図６】図６は、本発明に係る紙容器における裏面半切り補助線の形状を示した模式図であり、図６（１）は、本発明の請求項５に係る裏面半切り補助線を、また図６（２）は、請求項６に係る裏面半切り補助線をそれぞれ示す。
【図７】図７は、本発明に係る紙容器の他の実施態様を示した斜視図である。
【図８】図８は、本発明に係る紙容器の他の実施態様を示した斜視図である。
【発明を実施するための形態】
【００２５】
以下図面を参照しながら、本発明に係る紙容器について詳細に説明する。
図１は、本発明に係る紙容器の一実施態様を示した斜視図である。図２は、本発明に係る紙容器の他の実施態様を示した斜視図である。図３は、図１に示した紙容器の開封帯部分を拡大した説明図である。図４は、本発明の請求項３に係る紙容器の開封帯部分を拡大した説明図である。図５は、本発明に係る紙容器における開封帯の構造を示した断面説明図である。以下これらの図を参照しながら説明する。
【００２６】
本発明に係る紙容器（１）は、図５に示したように紙層（１１）の表面に表面皮膜層（
１２）を有し、紙層の裏面に裏面皮膜層（１３）を有し、開封線（２）に沿って開封可能な紙容器である。開封線（２）は、表面皮膜層（１２）を貫通して紙層（１１）に達する１本の表面半切り線（４）と、これに並行し、裏面皮膜層（１３）を貫通して紙層（１１）に達する１本の裏面半切り線（５）を有し、さらに裏面半切り線（５）から、開封方向（７）に対して表面半切り線（４）と反対側の斜め後方に向かい、裏面皮膜層（１３）を貫通して紙層（１１）に達する複数の裏面半切り補助線（６）を有する。なお図５では、分かり難くなるため裏面半切り補助線（６）を省略してある。
【００２７】
開封線（２）が開封される際には、図５に示したように、表面半切り線（４）と裏面半切り線（５）の間の紙層（１１）が層内破断（１４）を生じて開封する。従って、紙層（１１）は、表裏面の皮膜層によって保護されており、しかも表面半切り線（４）と裏面半切り線（５）とは、一定の間隔を持ってずらして設けられているので、紙の表裏面が切れ込み線によって連通している部分は存在しない。このため紙容器（１）は、表裏面の皮膜層の材質を選択することによって、ある程度の防湿性や防水性を発揮することができる。
【００２８】
なお表面皮膜層（１２）と裏面皮膜層（１３）の材質や厚さは、特に限定されず、例えばポリエチレン樹脂などの熱可塑性合成樹脂層でも良いし、印刷による塗工皮膜でもよい。またこれらの組み合わせでもよい。またコートボール紙のように、紙自身が表面皮膜層を持っているような紙を使用する場合には、特別な層を付加しなくても良い場合もある。
【００２９】
本発明に係る紙容器（１）は、図１に示した実施態様におけるように、裏面半切り補助線（６）が向かい合うように、２本の開封線（２）を設けて開封帯（３）を形成する場合もあるし、図２に示した実施態様におけるように、開封線（２）を１本のみ有する場合もある。
【００３０】
また、２本の開封線（２）で開封帯（３）を形成する場合においても、図３に示したように、裏面半切り補助線（６）を有する開封線（２）を２本向かい合わせにして開封帯（３）を形成しても良いし、図４に示したように、裏面半切り補助線（６）を有する開封線（２）１本と、裏面半切り補助線（６）を有しないすなわち表面半切り線（４）と裏面半切り線（５）のみからなる従来の開封線（２）１本とを組み合わせて開封帯（３）を形成しても良い。
【００３１】
図４に示された開封帯（３）が用いられるのは、例えば開封帯（３）が紙容器（１）の側壁に水平方向に設けられており、開封帯（３）が上方向に引き上げるように開封されるような場合、下側の開封線（２）では、裏面半切り線での紙の裂け目の逸脱が生じ易いのに対して、上側の開封線（２）では、紙の裂け目の逸脱が生じ難く、従って裏面半切り補助線（６）が不要な場合等である。
【００３２】
本発明に係る紙容器（１）に用いる開封線（２）の裏面半切り補助線（６）は、裏面半切り線（５）から、開封方向（７）に対して表面半切り線（４）と反対側の斜め後方に向かう直線であっても良いし、図６（１）に示したような、裏面半切り線（５）から、開封方向（７）に対して表面半切り線（４）と反対側の斜め後方に向かい、先端が裏面半切り線（５）に接近する方向に湾曲した曲線であっても良い。また図６（２）に示したような、裏面半切り線（５）から、開封方向（７）に対して表面半切り線（４）と反対側の斜め後方に向かい、折れ曲がって裏面半切り線（５）に平行に開封方向（７）と反対方向に向かう直線であっても良い。
【００３３】
図６の（１）、（２）に示したような形状にした場合、紙の裂け目が裏面半切り線（５）から逸脱して進行しようとした場合に、裏面半切り補助線（６）に補足されて、元に戻る確率が単なる直線の場合に比較して増す傾向がある。
【００３４】
図７は、本発明に係る紙容器（１）の他の実施態様を示した斜視図である。
図７に示された実施態様においては、開封帯（３）が紙容器（１）の正面板の中央部に縦方向に設けられている。
【００３５】
図８は、本発明に係る紙容器（１）の他の実施態様を示した斜視図である。
図８に示された実施態様においては、開封開始部（８）が紙容器（１）の正面に設けられており、開封開始部（８）の左右から出発した２本の開封線（２）は、斜上して紙容器（１）の天面に向かい、天面に幅の広い開封帯を形成している。従来の表面半切り線（４）と裏面半切り線（５）のみからなる開封線の場合、このような幅の広い開封帯では、裏面半切り線（５）における紙の裂け目の逸脱が生じ易かったが、本発明に係る紙容器（１）においては、裏面半切り補助線（６）が存在するために、円滑な開封が行えるのである。
【００３６】
本発明に係る紙容器（１）に用いる紙としては、マニラボール紙、白ボール紙、チップボール紙、黄ボール紙、コートボール紙、両面カード紙、裏白ボール紙、アイボリー紙等の、坪量１６０〜８５０ｇ／ｍ２程度の紙が用いられる。
【００３７】
紙の表裏面には通常、印刷、コーティング、フィルムラミネート等の加工が施され、ブランク形状への打抜きと同時に半切り線の加工が行われる。
【００３８】
紙の表裏面に半切り線を形成する方法としては、刃物による方法や、レーザーを用いる方法などがあるが、トムソン刃を装着した抜き型を用いた平面プレスや、ロータリーダイカッターを用いる方法が一般的である。
【００３９】
ブランク形状に打抜かれた紙は、最終形状に応じてサック貼りやその他成形工程を経て紙容器（１）となる。
【符号の説明】
【００４０】
１・・・紙容器
２・・・開封線
３・・・開封帯
４・・・表面半切り線
５・・・裏面半切り線
６・・・裏面半切り補助線
７・・・開封方向
８・・・開封開始部
１１・・・紙層
１２・・・表面皮膜層
１３・・・裏面皮膜層
１４・・・紙層の層内破断
【図１】
0005987383.tif 000002
【図２】
0005987383.tif 000003
【図３】
0005987383.tif 000004
【図４】
0005987383.tif 000005
【図５】
0005987383.tif 000006
【図６】
0005987383.tif 000007
【図７】
0005987383.tif 000008
【図８】
0005987383.tif 000009